(57)【特許請求の範囲】
【請求項１】
室内に設置された床暖房パネルと、
温水を生成する熱源機と、
前記熱源機と前記床暖房パネルとを接続する温水通路上に設けられて、該温水通路を開閉する熱動弁と、
前記熱源機および前記熱動弁の動作を制御する制御部と、
室内温度を検出する温度検出手段と、
前記制御部に対して目標温度を設定する温度設定手段と
を備え、床暖房運転を行う温水床暖房装置において、
前記制御部は、
前記熱動弁が開状態となり所定の第１温度の温水が前記床暖房パネルに供給される第１運転状態を実現する第１運転手段と、
前記第１運転状態での運転中に、前記室内温度が前記目標温度よりも低い所定の第１閾値温度に達すると所定の第１切換条件が成立したと判断して、前記熱動弁が開状態と閉状態とを繰り返しながら前記第１温度の温水が前記床暖房パネルに供給される第２運転状態を実現する第２運転手段と、
前記第２運転状態での運転中に、前記室内温度が前記第１閾値温度よりも高く且つ前記目標温度よりも低い所定の第２閾値温度に達すると所定の第２切換条件が成立したと判断して、前記熱動弁が開状態と閉状態とを繰り返しながら前記第１温度よりも低い所定の第２温度の温水が前記床暖房パネルに供給される第３運転状態を実現する第３運転手段と
を備えると共に、
前記床暖房運転の開始時に前記室内温度が前記第１閾値温度よりも低い場合には前記第１運転手段を起動させて前記床暖房運転を開始し、
前記床暖房運転の開始時に前記室内温度が前記第１閾値温度よりも高いが前記第２閾値温度よりは低い場合には前記第２運転手段を起動させて前記床暖房運転を開始し、
前記床暖房運転の開始時に前記室内温度が前記第２閾値温度よりも高い場合には前記第３運転手段を起動させて前記床暖房運転を開始する
ことを特徴とする温水床暖房装置。
【請求項２】
請求項１に記載の温水床暖房装置において、
前記第２運転状態では、
前記熱動弁が開状態と閉状態とを所定の一定周期で繰り返しており、
該一定周期中で開状態の期間が占める比率は、該熱動弁を開状態としたまま前記第２温度の温水を供給した場合に前記床暖房パネルが受ける時間あたりの熱量を、該熱動弁を開状態としたまま前記第１温度の温水を供給した場合に前記床暖房パネルが受ける時間あたりの熱量で除算した値よりも、大きな比率に設定されている
ことを特徴とする温水床暖房装置。
【発明の詳細な説明】
【技術分野】
【０００１】
本発明は、室内の床に温水を循環させて暖房を行う温水床暖房装置に関する。
【背景技術】
【０００２】
室内の床に床暖房パネルを設置し、熱源機で生成した温水を床暖房パネルに供給することによって室内を暖房する温水床暖房装置が知られている。この温水床暖房装置は、熱源機と床暖房パネルとの間に、床暖房パネルへの温水の供給量を制御する熱動弁を設けておき、室内温度と設定温度との温度差に基づいて、熱動弁を開状態または閉状態に切り換えることにより、室内温度を設定温度付近に保つようになっている。
【０００３】
ここで、温水床暖房装置の起動時に室内を速やかに暖めるためには、床温度を速やかに上昇させることが望ましく、そのためには温度の高い温水を床暖房パネルに供給することが望ましい。その一方で、供給する温水の温度が高くなると、熱動弁の開閉状態を切り換えたときの床温度の変動が大きくなるので、床面が熱くなったり冷たくなったりすることがユーザーに伝わり易くなり、快適さを損なうおそれが生じる。従って、室内が暖まった後の快適さを保つためには、床暖房パネルに供給する温水の温度は、あまり高くない方が望ましい。
【０００４】
そこで、温水床暖房装置の起動時には、高温の温水を連続して床暖房パネルに供給する運転（本明細書では「高温連続運転」という）を行うことによって床温度を速やかに上昇させ、室内温度が設定温度に近付いたら（あるいは高温連続運転での運転時間が一定時間に達したら）、熱動弁を開閉しながら低温の温水を床暖房パネルに供給する運転（本明細書では「低温開閉運転」という）を行うことによって、床温度の変動を抑制する技術が開示されている（特許文献１）。
【先行技術文献】
【特許文献】
【０００５】
【特許文献１】特開平９−２６９１３３号公報
【発明の概要】
【発明が解決しようとする課題】
【０００６】
しかし、上述した特許文献１の技術では、高温連続運転を低温開閉運転に切り換えたときに、ユーザーには床温度が急に低下したように感じられて、快適さが損なわれることがあるという問題があった。
【０００７】
この発明は、従来の技術が有する上述した課題に対応してなされたものであり、ユーザーの快適さが損なわれることのない温水床暖房装置の提供を目的とする。
【課題を解決するための手段】
【０００８】
上述した課題を解決するために、本発明の温水床暖房装置は次の構成を採用した。すなわち、
室内に設置された床暖房パネルと、
温水を生成する熱源機と、
前記熱源機と前記床暖房パネルとを接続する温水通路上に設けられて、該温水通路を開閉する熱動弁と、
前記熱源機および前記熱動弁の動作を制御する制御部と、
室内温度を検出する温度検出手段と、
前記制御部に対して目標温度を設定する温度設定手段と
を備え、床暖房運転を行う温水床暖房装置において、
前記制御部は、
前記熱動弁が開状態となり所定の第１温度の温水が前記床暖房パネルに供給される第１運転状態を実現する第１運転手段と、
前記第１運転状態での運転中に、前記室内温度が前記目標温度よりも低い所定の第１閾値温度に達すると所定の第１切換条件が成立したと判断して、前記熱動弁が開状態と閉状態とを繰り返しながら前記第１温度の温水が前記床暖房パネルに供給される第２運転状態を実現する第２運転手段と、
前記第２運転状態での運転中に、前記室内温度が前記第１閾値温度よりも高く且つ前記目標温度よりも低い所定の第２閾値温度に達すると所定の第２切換条件が成立したと判断して、前記熱動弁が開状態と閉状態とを繰り返しながら前記第１温度よりも低い所定の第２温度の温水が前記床暖房パネルに供給される第３運転状態を実現する第３運転手段と
を備えると共に、
前記床暖房運転の開始時に前記室内温度が前記第１閾値温度よりも低い場合には前記第１運転手段を起動させて前記床暖房運転を開始し、
前記床暖房運転の開始時に前記室内温度が前記第１閾値温度よりも高いが前記第２閾値温度よりは低い場合には前記第２運転手段を起動させて前記床暖房運転を開始し、
前記床暖房運転の開始時に前記室内温度が前記第２閾値温度よりも高い場合には前記第３運転手段を起動させて前記床暖房運転を開始する
ことを特徴とする。
【０００９】
かかる本発明の温水床暖房装置においては、熱源機で生成した温水を、熱動弁を介して床暖房パネルへ供給することによって床暖房運転を行う。ここで制御部は、設定された目標温度と検出された室内温度とに応じて熱源機の動作を制御することにより、床暖房パネルへ供給される温水の温度を、第１温度と、第１温度よりも低い第２温度とに切り換えることができ、また、熱動弁を開状態または閉状態に切り換えることができる。尚、熱動弁は、熱源機から床暖房パネルに温水を供給する温水通路上に設けることができるが、床暖房パネルに供給した温水を熱源機に還流させる場合には、温水を還流させるための温水通路上に熱動弁を設けることもできる。そして制御部は、床暖房運転の開始時に室内温度が第１閾値温度よりも低い場合には、熱動弁を開状態として第１温度の温水を供給する運転状態（第１運転状態）で床暖房運転を開始する。その後、室内温度が、目標温度よりも低い所定の第１閾値温度に達したら第１切換条件が成立したものと判断して、熱動弁で開状態と閉状態とを繰り返しながら第１温度の温水を供給する運転状態（第２運転状態）に切り換える。また、第２運転状態での床暖房運転中に、室内温度が、所定の第２閾値温度に達したら第２切換条件が成立したものと判断して、熱動弁で開状態と閉状態とを繰り返しながら第２温度の温水を供給する運転状態（第３運転状態）に切り換える。ここで、第２閾値温度は、第１閾値温度よりは高く且つ目標温度よりも低い温度に設定されている。加えて、床暖房運転の開始時の室内温度が第１閾値温度よりも低い場合には、第１運転状態で床暖房運転を開始するが、床暖房運転の開始時の室内温度が第２閾値温度よりも低いが第１閾値温度よりは高い場合には、（第１運転状態ではなく）第２運転状態で床暖房運転を開始する。更に、床暖房運転の開始時の室内温度が第２閾値温度よりも高い場合には、（第１運転状態および第２運転状態の何れでもなく）第３運転状態で床暖房運転を開始する。
【００１０】
第１運転状態では第１温度の温水が連続して床暖房パネルに供給され、第２運転状態では第１温度の温水が断続的に床暖房パネルに供給され、第３運転状態では第１温度よりも低い第２温度の温水が断続的に床暖房パネルに供給される。従って、床暖房パネルに供給される時間あたりの熱量（供給熱量）は、第１運転状態が最も大きく、第２運転状態、第３運転状態の順に小さくなる。そして、本発明の温水床暖房装置においては、供給熱量が大きな第１運転状態から、供給熱量が小さな第３運転状態に切り換わる際に、中間の供給熱量の第２運転状態を経由するようになっている。このため、第１運転状態で床暖房を開始した後、第３運転状態に切り換わるまでの間に、床暖房パネルに供給される時間あたりの熱量が急減することがない。その結果、ユーザーに床温度が急に低下したように感じさせて快適さが損なわれる事態を回避することができる。加えて、床暖房運転の開始時の室内温度が第１閾値温度よりも低かった場合には、床暖房パネルへの時間あたりの供給熱量が最も大きな第１運転状態で床暖房運転が開始され、室内温度が第１閾値温度よりは高いが第２閾値温度よりは低かった場合には、第１運転状態よりも供給熱量が小さい第２運転状態で床暖房運転が開始される。更に、開始時の室内温度が第２閾値温度よりも高かった場合には、供給熱量が最も小さい第３運転状態で床暖房運転が開始される。このように、開始時の室内温度および目標温度に応じて、適切な運転状態で床暖房運転を開始することができる。
【００１１】
加えて、室内温度が目標温度に対して低くなるほど大きな供給熱量の運転状態で床暖房を行うことができるので、室内温度を速やかに目標温度に近付けることが可能となる。更に、供給熱量が最も大きな第１運転状態の終了後は、供給熱量が最も小さな第３運転状態にいきなり切り換えるのではなく、第３運転状態よりも床暖房パネルに供給する時間あたりの熱量が大きな第２運転状態に切り換えることができるので、室内をより速やかに暖めることが可能となる。
【００１６】
また、上述した本発明の温水床暖房装置においては、次のようにしても良い。先ず、第２運転状態では、熱動弁が開状態と閉状態とを所定の一定周期で繰り返すものとする。そして、その一定周期中で開状態の期間が占める比率は、熱動弁を開状態としたまま第２温度の温水を供給した場合に床暖房パネルが受ける時間あたりの熱量を、熱動弁を開状態としたまま第１温度の温水を供給した場合に床暖房パネルが受ける時間あたりの熱量で除算した値よりも、大きな比率に設定することとしてもよい。
【００１７】
第２運転状態で床暖房パネルに供給される時間あたりの熱量（供給熱量）は、一定周期内で開状態の期間が占める比率に応じて変化するが、開状態の期間が占める比率を上記の比率に設定しておけば、第２運転状態での供給熱量は、第３運転状態での供給熱量よりも必ず大きくなる。従って、第１運転状態から第３運転状態に切り換える際に第２運転状態を経由させることで、床暖房パネルへの供給熱量の急減することを確実に回避することができ、その結果、床暖房の快適さが損なわれる事態を確実に回避可能となる。
【図面の簡単な説明】
【００１８】
【図１】本実施例の温水床暖房装置の構成を示す説明図である。
【図２】本実施例の床暖房運転処理の前半部分を示すフローチャートである。
【図３】本実施例の床暖房運転処理の後半部分を示すフローチャートである。
【図４】高温開閉運転を経由させた場合の室内温度および床温度の計測結果を例示した説明図である。
【図５】高温開閉運転を経由させなかった場合の室内温度および床温度の計測結果を例示した説明図である。
【発明を実施するための形態】
【００１９】
Ａ．装置構成  ：
図１は、本実施例の温水床暖房装置１の構成を示す説明図である。図示されるように温水床暖房装置１は、室内の床に設置される床暖房パネル２００や、床暖房パネル２００に温水を供給する温水供給ユニット１００や、室内の壁面などに設置されるリモートコントローラ（以下、リモコン３００）等から構成されている。このうち、温水供給ユニット１００は、温水を生成する熱源機１１０や、生成した温水を循環させる循環ポンプ１２６や、熱源機１１０から温水が流出する往き側温水通路１２０ａや、熱源機１１０に温水が還流する戻り側温水通路１２０ｂや、床暖房パネル２００に温水を供給する床暖房温水通路１２０ｃなどから構成されている。尚、以下では、往き側温水通路１２０ａ、戻り側温水通路１２０ｂ、床暖房温水通路１２０ｃをまとめて温水通路１２０と称することがある。
【００２０】
往き側温水通路１２０ａは、熱源機１１０からバイパス弁１２８を介してシスターン１２４に接続されており、戻り側温水通路１２０ｂは、シスターン１２４から循環ポンプ１２６を介して熱源機１１０に接続されている。このため、循環ポンプ１２６を動作させると、シスターン１２４内の温水が、循環ポンプ１２６、戻り側温水通路１２０ｂ、熱源機１１０、往き側温水通路１２０ａ、バイパス弁１２８、シスターン１２４という経路で循環する。また、床暖房温水通路１２０ｃは、循環ポンプ１２６の下流側で戻り側温水通路１２０ｂから分岐し、熱動弁１３０および往き側温水コンセント２０２ａを介して床暖房パネル２００に接続され、床暖房パネル２００から戻り側温水コンセント２０２ｂを介して、バイパス弁１２８の下流側で往き側温水通路１２０ａに合流している。従って、循環ポンプ１２６を動作させた状態で熱動弁１３０を開くと、シスターン１２４から熱源機１１０に還流する温水の一部が、床暖房温水通路１２０ｃを通って床暖房パネル２００に流入した後、シスターン１２４に還流される。また、往き側温水通路１２０ａには、熱源機１１０から流出した温水の温度を検出する往き側温度センサー１２２ａが設けられており、戻り側温水通路１２０ｂには、熱源機１１０に流入する温水の温度を検出する戻り側温度センサー１２２ｂが設けられている。尚、以下では、往き側温度センサー１２２ａと戻り側温度センサー１２２ｂとをまとめて温度センサー１２２と称することがある。
【００２１】
熱源機１１０は、ガスバーナー１１４や、ガスバーナー１１４への燃料ガスの供給量を制御する電磁弁１１８や、ガスバーナー１１４に燃焼用の空気を供給する燃焼ファン１１６や、熱交換器１１２などから構成されている。循環ポンプ１２６を動作させて熱交換器１１２に温水を通しながら、ガスバーナー１１４で熱交換器１１２を加熱することによって温水を生成することができる。
【００２２】
また、温水供給ユニット１００には、コントローラ１４０が搭載されている。コントローラ１４０には、温度センサー１２２や、循環ポンプ１２６、バイパス弁１２８、熱動弁１３０、燃焼ファン１１６、電磁弁１１８などが接続されている。このためコントローラ１４０は、温水供給ユニット１００の動作を制御して、床暖房パネル２００に供給される温水温度を制御することができる。例えば、戻り側温度センサー１２２ｂで検出した温水温度が、床暖房パネル２００に供給する温水の目標温度よりも低い場合は、燃焼ファン１１６の回転数および電磁弁１１８の開度を調整してガスバーナー１１４の能力をアップする。すると、往き側温水通路１２０ａから流出する温水温度が上昇するのでシスターン１２４内の温水温度が上昇し、床暖房パネル２００に供給される温水温度が上昇する。あるいは、バイパス弁１２８の開度を増やすと、熱源機１１０からシスターン１２４に流入する温水が増えるのでシスターン１２４内の温水温度が上昇する。従って、バイパス弁１２８の開度を増加させることによっても、床暖房パネル２００に供給される温水温度を上昇させることができる。また、床暖房パネル２００に供給される温水温度が目標温度よりも高い場合にも、燃焼ファン１１６や、電磁弁１１８、バイパス弁１２８等を制御することによって、温水温度を低下させることができる。尚、本実施例では、床暖房パネル２００に供給する温水温度を、８０℃または６０℃に切り換えることが可能となっている。尚、本実施例では、温水温度８０℃が本発明の「第１温度」に対応し、温水温度６０℃が本発明の「第２温度」に対応する。更に、コントローラ１４０が、本発明の「制御部」に対応する。
【００２３】
リモコン３００には、液晶表示画面３０２や、操作ボタン３０４や、室内温度を検出する室温センサー３０６などが設けられている。温水床暖房装置１のユーザーは、液晶表示画面３０２を見ながら操作ボタン３０４を操作することによって、室内の目標温度を設定することができる。また、リモコン３００はコントローラ１４０と通信を行っており、室温センサー３０６で検出した室内温度や、ユーザーが設定した目標温度をコントローラ１４０に送信する。尚、本実施例では、室温センサー３０６が本発明の「温度検出手段」に対応し、リモコン３００が本発明の「温度設定手段」に対応する。
【００２４】
上述した構成を有する温水床暖房装置１は、起動時には熱動弁１３０を開状態として、８０℃の温水を床暖房パネル２００に連続して供給する高温連続運転（いわゆるホットダッシュ運転）を行うことにより、室内を速やかに暖める。また、室内が暖まった後は、床暖房パネル２００に供給する温水温度を６０℃に設定して、熱動弁１３０を開閉させる低温開閉運転を行うことによって、室内温度を目標温度に維持する。もっとも、高温連続運転から低温開閉運転に切り換えた時に、床温度が急に低下したように感じられて、快適さが損なわれることがある。そこで、本実施例の温水床暖房装置１では、以下のような床暖房運転処理を行っている。
【００２５】
Ｂ．床暖房運転処理  ：
図２および図３は、本実施例のコントローラ１４０が実行する床暖房運転処理のフローチャートである。床暖房運転処理を開始すると、床暖房運転スイッチ（図示は省略）が「入」にされたか否かを判断する（ＳＴＥＰ１０）。床暖房運転スイッチは、操作ボタン３０４の１つとしてリモコン３００に設けられており（図１参照）、床暖房運転スイッチが「入」にされると、その旨がリモコン３００からコントローラ１４０に送信される。コントローラ１４０は、床暖房運転スイッチが「入」にされていないと判断した場合（ＳＴＥＰ１０：ｎｏ）は、同じ判断を繰り返しながら待機状態となる。一方、床暖房運転スイッチが「入」にされたと判断すると（ＳＴＥＰ１０：ｙｅｓ）、過去の一定時間（例えば１時間）以内に床暖房運転されたか否かを判断する（ＳＴＥＰ１２）。この判断は、例えば床暖房運転の終了時に、一定時間のカウントを行うタイマーを設定しておき、カウントが継続されているか否かによって判断することができる。
【００２６】
その結果、過去一定時間以内に床暖房運転されていないと判断した場合（ＳＴＥＰ１２：ｎｏ）は、室内が冷えていると考えられるので、高温連続運転の運転時間の計時を開始した後（ＳＴＥＰ１８）、高温連続運転（すなわち、熱動弁１３０を開状態として、８０℃の温水を床暖房パネル２００に供給する運転状態）を開始する（ＳＴＥＰ２０）。尚、高温連続運転を行っている状態が、本発明の「第１運転状態」に対応する。
【００２７】
続いて、高温連続運転の運転時間が所定時間に達したか否かを判断し（ＳＴＥＰ２２）、所定時間に達していない場合（ＳＴＥＰ２２：ｎｏ）は、室内温度が、リモコン３００に設定された室内の目標温度−２℃に達したか否かを判断する（ＳＴＥＰ２４）。その結果、室内温度が目標温度−２℃に達していない場合（ＳＴＥＰ２４：ｎｏ）は、ＳＴＥＰ２０に戻って高温連続運転を継続する。こうして高温連続運転を行いながら、ＳＴＥＰ２２およびＳＴＥＰ２４の判断を繰り返しているうちに、やがて運転時間が所定時間に達するか（ＳＴＥＰ２２：ｙｅｓ）、室内温度が目標温度−２℃に達したら（ＳＴＥＰ２４：ｙｅｓ）、高温開閉運転の運転時間の計時を開始した後（図３のＳＴＥＰ２６）、高温開閉運転を開始する（ＳＴＥＰ２８）。
【００２８】
ここで、高温開閉運転とは次のような運転状態である。先ず、熱源機１１０（燃焼ファン１１６、電磁弁１１８など）やバイパス弁１２８などを制御して、床暖房パネル２００に８０℃の温水が供給されるようにする。また、熱動弁１３０では、一定周期内で開状態と閉状態とを繰り返す。一定周期内で開状態が占める比率は固定比率とすることができるが、時間の経過とともに開状態が占める比率を減少させても良い。床暖房パネル２００には、熱動弁１３０が開状態となったときにだけ温水が供給されるから、開状態が占める比率が減少するほど、床暖房パネル２００に供給される時間あたりの熱量（供給熱量）が減少する。但し、開状態の比率があまりに小さくなると、６０℃の温水を連続して供給する場合の供給熱量よりも少なくなってしまう。そこで、一定周期中で開状態が占める比率は、「熱動弁１３０を開状態としたまま６０℃の温水を供給したときに床暖房パネル２００が受ける時間あたりの熱量」を、「熱動弁１３０を開状態としたまま８０℃の温水を供給したときに床暖房パネル２００が受ける時間あたりの熱量」で割った値よりも、大きな比率に設定しておく必要がある。本実施例では、一定周期内で開状態が占める比率は、このような値の固定比率に設定されている。尚、本実施例では、高温開閉運転が本発明の「第２運転状態」に対応する。また、高温連続運転から高温開閉運転に切り換えるための条件（ＳＴＥＰ２２あるいはＳＴＥＰ２４の条件）が、本発明の「第１切換条件」に対応し、特にＳＴＥＰ２２の判断で用いられる「所定時間」が本発明の「閾値時間」に対応し、ＳＴＥＰ２４の判断で用いられる「目標温度―２℃」が本発明の「第１閾値温度」に対応する。更に、高温連続運転の運転時間を計時するコントローラ１４０が、本発明の「計時手段」に対応する。
【００２９】
こうして高温開閉運転を開始したら、続いて、高温開閉運転の運転時間が所定時間に達したか否かを判断し（ＳＴＥＰ３０）、所定時間に達していない場合（ＳＴＥＰ３０：ｎｏ）は、室内温度が目標温度−１℃に達したか否かを判断する（ＳＴＥＰ３２）。そして、運転時間が所定時間に達するか（ＳＴＥＰ３０：ｙｅｓ）、室内温度が目標温度−１℃に達するか（ＳＴＥＰ３２：ｙｅｓ）の何れかの条件が成立するまで、ＳＴＥＰ２８に戻って高温開閉運転を継続する。尚、先にＳＴＥＰ２２で判断した所定時間と、ＳＴＥＰ３０で判断する所定時間とは異なる時間とすることができる。
【００３０】
その結果、ＳＴＥＰ３０またはＳＴＥＰ３２の何れかで「ｙｅｓ」と判断したら、室内温度と目標温度とに基づいて、熱動弁１３０を開状態とする比率を設定した後（ＳＴＥＰ３４）、低温開閉運転（すなわち、熱動弁１３０を一定周期で開閉しながら、６０℃の温水を床暖房パネル２００に供給する運転状態）を開始する（ＳＴＥＰ３６）。尚、低温開閉運転で熱動弁１３０を開閉させる一定周期は、高温開閉運転で熱動弁１３０を開閉させる一定周期と同じ周期としても良い。しかし、高温連続運転（いわゆるホットダッシュ運転）の直後に行われる高温開閉運転では、低温開閉運転よりも室内温度の変化が速いので、低温開閉運転よりも高温開閉運転の方が一定周期を短い周期としても良い。尚、低温開閉運転を行っている状態が、本発明の「第３運転状態」に対応する。また、高温開閉運転から低温開閉運転に切り換えるための条件（ＳＴＥＰ３０あるいはＳＴＥＰ３２の条件）が、本発明の「第２切換条件」に対応し、特にＳＴＥＰ３２の判断で用いられる「目標温度―１℃」が本発明の「第２閾値温度」あるいは「閾値温度」に対応する。更に、熱源機１１０や、熱動弁１３０などを制御して高温連続運転、高温開閉運転、低温開閉運転を実現するコントローラ１４０が、本発明の「第１〜第３運転手段」に対応する。
【００３１】
以上では、床暖房運転処理の開始直後に、過去一定時間以内に床暖房運転が行われていないと判断した場合（図２のＳＴＥＰ１２：ｎｏ）の処理について説明した。これに対して、過去一定時間以内に床暖房運転が行われていた場合（ＳＴＥＰ１２：ｙｅｓ）は、室内温度が目標温度−２℃以上か否かを判断する（ＳＴＥＰ１４）。その結果、室内温度が目標温度−２℃を超えていなければ（ＳＴＥＰ１４：ｎｏ）、ＳＴＥＰ１８に移行して、過去一定時間以内に床暖房運転が行われていなかった場合と同様な一連の処理を行う。一方、室内温度が目標温度−２℃以上であった場合（ＳＴＥＰ１４：ｙｅｓ）は、目標温度−１℃以上であるか否かを判断する（ＳＴＥＰ１６）。その結果、室内温度が目標温度−１℃を超えていなければ（ＳＴＥＰ１６：ｎｏ）、ＳＴＥＰ２６に移行して、高温開閉運転およびそれに続く一連の処理を行う。更に、室内温度が目標温度−１℃以上であった場合（ＳＴＥＰ１６：ｎｏ）は、ＳＴＥＰ３４に移行して直ちに低温開閉運転を開始する。
【００３２】
以上のようにして低温開閉運転を開始したら（ＳＴＥＰ３６）、続いて、前述した床暖房運転スイッチが「切」にされたか否かを判断し（ＳＴＥＰ３８）、「切」にされていない場合（ＳＴＥＰ３８：ｎｏ）は、ＳＴＥＰ３４に戻って熱動弁１３０の開状態の比率を設定した後、低温開閉運転を継続する（ＳＴＥＰ３６）。その結果、低温開閉運転中は、室内温度が目標温度に保たれる。そして、床暖房運転スイッチが「切」にされたら（ＳＴＥＰ３８：ｙｅｓ）、図２および図３に示した床暖房運転処理を終了する。
【００３３】
Ｃ．高温開閉運転による効果  ：
図４は、上述した床暖房運転処理によって高温開閉運転を行った場合の室内温度および床温度の計測結果を例示した説明図である。また、図５には、参考として、高温開閉運転を経由しない従来の床暖房運転を行った場合の計測結果が示されている。図４および図５の上段には、床暖房パネル２００に供給される温水温度の変化が示されており、その下方には、床温度および室内温度の変化がそれぞれ破線および実線で示されている。
【００３４】
図４に示されるように、床暖房運転が開始されると、８０℃の温水が連続して床暖房パネル２００に供給されて高温連続運転が開始される。その結果、図中に破線で示すように床温度は急速に上昇し、これに伴って、実線で示した室内温度も速やかに上昇する。そして、運転開始から時間Ｔａが経過したところで室内温度が目標温度―２℃に達したら、温水温度は８０℃のままで熱動弁１３０を一定周期で開閉することによって高温開閉運転を開始する。高温開閉運転では熱動弁１３０が開閉するので、高温連続運転の場合よりも床暖房パネル２００に供給される時間あたりの熱量が減少し、その結果、床温度や室内温度の上昇速度が小さくなる。そして、運転開始から時間Ｔｂが経過した時点で室内温度が目標温度―１℃に達するので、今度は、低温開閉運転に切り換える。低温開閉運転では温水温度が６０℃に設定され、目標温度と室内温度とに応じた比率で熱動弁１３０が開状態と閉状態とを繰り返す。その結果、室内温度は、床暖房運転の運転開始から時間Ｔｃが経過した時点で目標温度に到達する。また、床温度は、供給される温水温度が８０℃から６０℃に切り換わると徐々に低下していく。
【００３５】
図５には、高温開閉運転を経由しない従来の床暖房運転を行った場合の床温度および室内温度の計測結果が示されている。従来の床暖房運転においても、運転が開始された時点では高温連続運転が行われるので、図４と同様に、運転開始から時間Ｔａが経過した時点で室内温度が目標温度―２℃に達する。しかし、その後は、温水温度が８０℃から６０℃に切り換わり、熱動弁１３０が一定周期で開閉することによって低温開閉運転に移行する。低温開閉運転では高温開閉運転に比べて、床暖房パネル２００に供給される時間あたりの熱量が少ないので、室内温度の上昇速度は図４に示した場合よりも小さくなり、その結果、室内温度が目標温度に達するまでには、図４に示した場合の時間Ｔｃよりも長い時間Ｔｄが必要となる。換言すれば、図４に示した本実施例の床暖房運転を行うことによって、室内温度をより短時間で目標温度に到達させることが可能となっている。
【００３６】
また床温度は、温水温度が８０℃から６０℃に切り換わったことに対応して低下していくが、図５に示した従来の床暖房運転では、図４に示した場合と比較して床温度の低下速度が速くなる。これは、従来の床暖房運転では、８０℃の温水を連続して供給する高温連続運転から、６０℃の温水を断続的に供給する低温開閉運転に直接切り換えているために、床暖房パネル２００に供給される時間あたりの熱量（供給熱量）が急減することによる。これに対して、図４に示した本実施例の床暖房運転を行った場合は、高温連続運転から低温開閉運転に切り換わる間に、高温連続運転よりは供給熱量が小さいが低温開閉運転よりは供給熱量が大きな高温開閉運転が行われるため、床暖房パネル２００への供給熱量が急減することがない。その結果、図４に示したように、床温度がゆっくりと低下する。このため、本実施例の床暖房運転を行うことによって、ユーザーに床温度が急に低下したように感じられる事態を回避することが可能となっている。
【００３７】
以上、本実施例の温水床暖房装置１について説明したが、本発明は上記の実施例に限られるものではなく、その要旨を逸脱しない範囲において種々の態様で実施することが可能である。
【符号の説明】
【００３８】
１…温水床暖房装置、      １００…温水供給ユニット、    １１０…熱源機、
１１２…熱交換器、        １１４…ガスバーナー、        １１６…燃焼ファン、
１１８…電磁弁、          １２０…温水通路、            １２２…温度センサー、
１２４…シスターン、      １２６…循環ポンプ、          １２８…バイパス弁、
１３０…熱動弁、          １４０…コントローラ、        ２００…床暖房パネル、
３００…リモコン、        ３０２…液晶表示画面、        ３０４…操作ボタン、
３０６…室温センサー
【図１】
0005812755.tif 000002
【図２】
0005812755.tif 000003
【図３】
0005812755.tif 000004
【図４】
0005812755.tif 000005
【図５】
0005812755.tif 000006